(57)【特許請求の範囲】
【請求項１】
換気用のファンと、
前記ファンを回転させるモータと、
部屋内に配置されて、該部屋内のＣＯ２の濃度を検出する複数の外部センサと、
前記複数の外部センサを接続するための複数のセンサ接続部を備え、該複数のセンサ接続部が取り込んだ複数のセンサ信号が示すＣＯ２濃度が所定の判定レベルを満たすように、前記モータの運転を複数段の風量ノッチで制御する制御部と
を備え、
前記制御部は、
前記複数のセンサ信号の全てが前記所定の判定レベルを満たす場合は、小風量ノッチで前記モータを運転し、前記複数のセンサ信号の一部が前記所定の判定レベルを満たさない場合は、前記小風量ノッチよりも回転速度が高い中風量ノッチで前記モータを運転し、前記中風量ノッチでの運転を所定時間継続しても、前記複数のセンサ信号の一部が前記所定の判定レベルを満たさない場合は、前記中風量ノッチよりも回転速度が高い強風量ノッチで前記モータを運転し、さらに前記強風量ノッチでの運転を所定時間継続しても、前記複数のセンサ信号の一部が前記所定の判定レベルを満たさない場合又は前記複数のセンサ信号の全てが前記所定の判定レベルを満たさない場合は、前記強風量ノッチよりも回転速度が高い特強風量ノッチで前記モータを運転することを特徴とする換気装置。
【請求項２】
換気用のファンと、
前記ファンを回転させるモータと、
部屋内に配置されて、該部屋内の雑ガスの濃度を検出する複数の外部センサと、
前記複数の外部センサを接続するための複数のセンサ接続部を備え、該複数のセンサ接続部が取り込んだ複数のセンサ信号が示す雑ガス濃度が所定の判定レベルを満たすように、前記モータの運転を複数段の風量ノッチで制御する制御部と
を備え、
前記制御部は、
前記複数のセンサ信号の全てが前記所定の判定レベルを満たす場合は、小風量ノッチで前記モータを運転し、前記複数のセンサ信号の一部が前記所定の判定レベルを満たさない場合は、前記小風量ノッチよりも回転速度が高い中風量ノッチで前記モータを運転し、前記中風量ノッチでの運転を所定時間継続しても、前記複数のセンサ信号の一部が前記所定の判定レベルを満たさない場合は、前記中風量ノッチよりも回転速度が高い強風量ノッチで前記モータを運転し、さらに前記強風量ノッチでの運転を所定時間継続しても、前記複数のセンサ信号の一部が前記所定の判定レベルを満たさない場合又は前記複数のセンサ信号の全てが前記所定の判定レベルを満たさない場合は、前記強風量ノッチよりも回転速度が高い特強風量ノッチで前記モータを運転することを特徴とする換気装置。
【請求項３】
前記センサ接続部は、リレー接点出力形式の外部センサまたはアナログ出力形式の外部センサが接続可能であることを特徴とする請求項１又は２に記載の換気装置。
【請求項４】
前記制御部は、
前記特強風量ノッチでの運転中に、前記所定の判定レベルを満たさないセンサ信号の一部が前記所定の判定レベルを満たした場合は、前記強風量ノッチに切り替えて運転し、前記所定の判定レベルを満たしたセンサ信号が所定時間継続して前記所定の判定レベルを満たす場合は、前記中風量ノッチに切り替えて運転し、さらに前記複数のセンサ信号の全てが前記所定の判定レベルを満たす場合は、前記小風量ノッチに切り替えて運転する
ことを特徴とする請求項１から３のいずれか１項に記載の換気装置。
【請求項５】
前記制御部は、
前記小風量ノッチでの運転が所定時間継続した場合は前記モータを停止する
ことを特徴とした請求項１から４のいずれか１項に記載の換気装置。
【請求項６】
前記制御部は、
前記モータを同じ風量ノッチで継続運転する所定時間を任意に設定できるタイマー設定手段を備えている
ことを特徴とした請求項１から５のいずれか１項に記載の換気装置。
【請求項７】
前記制御部は、
前記センサ接続部に接続されるアナログ出力形式の外部センサの出力レベルに対して検知感度を任意に設定できる感度設定手段を備えている
ことを特徴とする請求項１から６のいずれか１項に記載の換気装置。
【請求項８】
前記制御部は、
前記センサ接続部に接続される外部センサの出力形式の指定に従って、該外部センサのセンサ信号をマイコンのデジタル入力ポートとアナログ入力ポートとに切り替えて入力させるセンサ入力モード切替手段を備えている
ことを特徴とする請求項１から７のいずれか１項に記載の換気装置。
【請求項９】
前記制御部は、
前記センサ接続部に接続される外部センサの出力形式の指定に従って、該外部センサがリレー接点出力形式であるときもアナログ出力形式であるときも、該外部センサのセンサ信号をマイコンの１つの入力ポートに入力させるセンサ入力モード切替手段を備えている
ことを特徴とする請求項１から７のいずれか１項に記載の換気装置。
【発明の詳細な説明】
【技術分野】
【０００１】
本発明は、建物内の部屋に設置する換気装置に関するものである。
【背景技術】
【０００２】
近年、事務所やオフィスビルの部屋に設置する換気装置には、各種センサやタイマーなどによる外部連動機能が要望されており、換気回数の適正化と換気設備の省エネ化とが求められている。
【０００３】
この要望に応える換気装置として、例えば特許文献１では、ＣＯ２センサとこのＣＯ２センサからの出力を受けて、タイマー回路に換気用ダンパを駆動するダンパモータへの通電時間を決定するとともに、このタイマー回路のカウントアップを受けて、前記ダンパモータが接続されたリレー接点回路とこれを制御するマイクロコンピュータとで前記ＣＯ２センサで検知したＣＯ２濃度に応じて換気用ダンパの開度を可変させて換気量を可変させる制御手段を備えた構成のものが提案されている。
【先行技術文献】
【特許文献】
【０００４】
【特許文献１】特開平５−２０３２２６号公報
【発明の概要】
【発明が解決しようとする課題】
【０００５】
しかし、上記従来の技術では、市販の外部センサを換気装置に接続することができず、
汎用的なリレー接点出力を具備したセンサおよびアナログ出力を具備したセンサが使えないため換気送風機の用途が限定されてしまう。
【０００６】
また、換気量の調節は、送風機のダンパ開度を調節するか、送風機の元電源を入り切りする方法しかないため、きめ細かな風量制御が行えず快適性を損なうとともに、省エネ化が図れない。
【０００７】
さらに、換気用ファンモータとは別にダンパモータなどの部材が必要であり、換気システムとしての省エネ化や小型化が図りにくいなどの問題がある。
【０００８】
本発明は、上記に鑑みてなされたものであり、部屋の在人状態や室内空気質に応じたきめ細か換気風量制御が可能で、かつ省エネ化が図れる換気装置を得ることを目的とする。
【課題を解決するための手段】
【０００９】
上述した課題を解決し、目的を達成するために、本発明は、換気用のファンと、前記ファンを回転させるモータと、部屋内に配置される複数の外部センサを接続するための複数のセンサ接続部を備え、該複数のセンサ接続部が取り込んだ複数のセンサ信号が示す室内空気質が所定の判定レベルを満たすように、前記モータの運転を複数段の風量ノッチで制御する制御部とを備えたことを特徴とする。
【発明の効果】
【００１０】
本発明によれば、部屋内に配置される複数の外部センサそれぞれのセンサ信号が示す室内空気質と所定の判定レベルとを逐一比較し、センサ信号の全てが所定の判定レベルを満たす場合、センサ信号の全てが所定の判定レベルを満たさない場合、センサ信号の一部が所定の判定レベルを満たす場合に応じた適切な風量ノッチで換気運転を行うので、部屋の在人状態や室内空気質に応じたきめ細か換気風量制御が可能で、かつ省エネ化が図れる換気装置を実現できるという効果を奏する。
【図面の簡単な説明】
【００１１】
【図１】図１は、本発明の実施の形態１による換気装置の概略構成を示すブロック図である。
【図２】図２は、換気風量制御動作（その１）を説明するフローチャートである。
【図３】図３は、換気風量制御動作（その２）を説明するフローチャートである。
【図４】図４は、換気風量制御動作（その３）を説明するフローチャートである。
【図５】図５は、本発明の実施の形態２による換気装置の概略構成を示すブロック図である。
【図６】図６は、換気風量制御動作を説明するフローチャートである。
【図７】図７は、本発明の実施の形態３による換気装置の概略構成を示すブロック図である。
【図８】図８は、換気風量制御動作を説明するフローチャートである。
【図９】図９は、本発明の実施の形態４による換気装置の概略構成を示すブロック図である。
【図１０】図１０は、図９に示した制御部の構成例（その１）を示すブロック図ある。
【図１１】図１１は、図９に示した制御部の構成例（その２）を示すブロック図ある。
【発明を実施するための形態】
【００１２】
以下に本発明にかかる換気装置の実施の形態を図面に基づいて詳細に説明する。なお、この実施の形態によりこの発明が限定されるものではない。
【００１３】
実施の形態１．
図１は、本発明の実施の形態１による換気装置の概略構成を示すブロック図である。図１において、実施の形態１による換気装置１ａは、換気用のファン２と、ファン２を回転させるモータ３と、モータ３の運転を複数段の風量ノッチで制御する制御部４ａと、部屋内の所定位置に配置されて制御部４ａに接続される複数の外部センサ５とを備えている。
【００１４】
制御部４ａには、外部センサ５とのインタフェースであるセンサ接続部６が、部屋内に配置される外部センサ５の個数分設けられている。センサ接続部６は、外部センサ５から受け取ったセンサ信号を制御部４ａ内のマイコンへ出力する。部屋内に配置される外部センサ５の個数は、部屋の広さや要求されるセンサ感度などにより定められる。但し、図１では、説明を容易にするため、外部センサ５として、センサＡとセンサＢの２つを示す。したがって、センサ接続部６も、センサＡが接続されるセンサＡ接続部と、センサＢが接続されるセンサＢ接続部との２つが示されている。
【００１５】
外部センサ５は、ＣＯ２センサ、温度センサ、湿度センサ、人感センサ、雑ガスセンサなど室内の各種の空気質を測定検出できるセンサである。但し、この明細書では、説明を容易にするため、外部センサ５は、ＣＯ２センサであるとしている。
【００１６】
外部センサ５は、センサユニットの形式で誰もが容易に入手できる市販の汎用製品である。センサユニットには、リレー接点出力形式（つまりデジタル出力形式）のものと、アナログ出力形式（つまり電圧出力或いは電流出力の形式）のものとがある。制御部４ａ内のマイコンに与える外部信号が、ＯＮ／ＯＦＦ信号であるときはマイコンのデジタル入力ポートへ入力させ、アナログ信号であるときはマイコンのアナログ入力ポートへ入力させる。したがって、制御部４ａが備えるセンサ接続部６は、制御部４ａ内にマイコンのデジタル入力ポート側に配置されるものと、アナログ入力ポート側に配置されるものとの両方または一方で構成されている。
【００１７】
この実施の形態１では、説明を容易にするため、センサＡのセンサユニットもセンサＢのセンサユニットも共にリレー接点出力形式であるから、センサＡ接続続部もセンサＢ接続続部も共に、受け取ったセンサ信号（ＯＮ／ＯＦＦ信号）をマイコンのデジタル入力ポートへ入力させる。
【００１８】
モータ３は、ＡＣモータまたはＤＣモータである。制御部４ａ内のマイコンは、モータ３の回転速度を必要換気風量に応じて多段階に調節制御する。この実施の形態１では、外部センサ５（センサＡ、センサＢ）からのセンサ信号（ＯＮ／ＯＦＦ信号）に基づいて換気風量を、小風量、中風量、強風量、特強風量の４段階に制御する。以下、図２〜図４を参照して３つの換気風量制御動作について説明する。図２〜図４は、換気風量制御動作（その１〜その３）を説明するフローチャートである。
【００１９】
＜換気風量制御動作（その１）＞
図２において、制御部４ａは、センサＡ、センサＢの出力状態（ＯＮ／ＯＦＦ状態）を調べる。ＯＮしていれば、測定したＣＯ２濃度が規定値を超えたことを示す。ＯＦＦしていれば、測定したＣＯ２濃度が規定値以下であることを示す。
【００２０】
センサＡがＯＮしていて（ステップＳ１：Ｙｅｓ）、センサＢもＯＮしていれば（ステップＳ２：Ｙｅｓ）、室内のＣＯ２濃度は相当に高いと判断し、ステップＳ３にて、換気装置１ａを特強風量換気で運転させ、ステップＳ１に戻り、センサＡ、センサＢの出力状態（ＯＮ／ＯＦＦ状態）を調べる処理へ移行する。
【００２１】
一方、センサＡがＯＦＦしていて（ステップＳ１：Ｎｏ）、センサＢもＯＦＦしていれば（ステップＳ４：Ｎｏ）、室内のＣＯ２濃度は規定値以下であると判断し、ステップＳ１２にて、換気装置１ａを小風量換気で運転させ、ステップＳ１２にて、強風量フラグを“０”にセットし、ステップＳ１に戻り、センサＡ、センサＢの出力状態（ＯＮ／ＯＦＦ状態）を調べる処理へ移行する。
【００２２】
また、センサＡがＯＮしていて（ステップＳ１：Ｙｅｓ）、センサＢがＯＦＦしている場合（ステップＳ２：Ｎｏ）、または、センサＡがＯＦＦしていて（ステップＳ１：Ｎｏ）、センサＢがＯＮしている場合（ステップＳ４：Ｙｅｓ）は、ステップＳ５にて、強風量フラグが“１”であるか“０”であるかを調べる。
【００２３】
その結果、強風量フラグが“１”でなく“０”である場合（ステップＳ５：Ｎｏ）は、ステップＳ６にて、換気装置１ａを中風量換気で運転させ、ステップＳ７を介してステップＳ１に戻り、センサＡとセンサＢの出力状態を所定時間（例えば３０分）内繰り返し調べる。
【００２４】
このように、センサＡとセンサＢの何れかがＯＮしていて、中風量換気が所定時間（例えば３０分）を超えて継続している場合（ステップＳ７：Ｙｅｓ）は、ＣＯ２濃度は未だ高いと判断し、ステップＳ８にて、換気装置１ａを強風量換気で運転させる。そして、ステップＳ９にて、強風量フラグを“１”にセットし、ステップＳ１０にて、強風量換気の継続時間を監視する。
【００２５】
また、ステップＳ５において、強風量フラグが“１”である場合（ステップＳ５：Ｙｅｓ）は、現在実施している強風量換気での運転を継続させ、ステップＳ１０にて、強風量換気での運転の継続時間をステップＳ７と同様の方法で監視する。
【００２６】
強風量換気での運転が所定時間（例えば３０分）を超えて継続している場合（ステップＳ１０：Ｙｅｓ）は、センサＡとセンサＢの何れかが継続してＯＮしているので、ＣＯ２濃度は未だ高いと判断し、ステップＳ１１にて、強風量フラグを“０”にセットし、ステップＳ３に進み、換気装置１ａを特強風量換気で運転させ、ステップＳ１に戻る。
【００２７】
これによって、室内空気質に応じたきめ細かな風量制御が可能となる。そして、在人状態や室内空気質に応じて適切な換気が行えるので、換気装置の省エネ化を図ることができる。
【００２８】
＜換気風量制御動作（その２）＞
図３において、ステップＳ２１（特強風量換気）では、図２におけるステップＳ３と同様に、換気装置１ａを特強風量換気で運転している。この特強風量換気での運転状態において、センサＡがＯＮしていて（ステップ２２：Ｙｅｓ）、かつセンサＢもＯＮしていれば（ステップ２３：Ｙｅｓ）、ステップ２１に戻り、特強風量換気での運転状態を継続する。
【００２９】
この特強風量換気での運転状態において（ステップ２１）、センサＡがＯＦＦし（ステップ２２：Ｎｏ）、かつセンサＢもＯＦＦすれば（ステップ２４：Ｎｏ）、室内のＣＯ２濃度を規定値以下にすることができたので、ステップ３０にて、換気装置１ａを小風量換気で運転させる。なお、特強風量から小風量へ直ちに下げるのではなく、使用者に不快感を与えないように、実際には風量を緩やかに減少させている。
【００３０】
また、特強風量換気での運転状態において（ステップ２１）、センサＡがＯＦＦしても（ステップ２２：Ｎｏ）、センサＢがＯＮしていれば（ステップ２４：Ｙｅｓ）、或いはセンサＢがＯＦＦしていても（ステップ２３：Ｎｏ）、センサＡがＯＮしていれば（ステップ２２：Ｙｅｓ）、室内のＣＯ２濃度は未だ高いと判断しステップ２５にて、換気装置１ａを強風量換気で運転させ、ステップＳ２６を介してステップ２２に戻り、センサＡとセンサＢの出力内容を所定時間（例えば３０分）内繰り返し調べる。
【００３１】
センサＡとセンサＢの何れかがＯＮしていて、強風量換気が所定時間（例えば３０分）を超えて継続している場合（ステップＳ２６：Ｙｅｓ）は、ＣＯ２濃度は未だ高いと判断し、ステップＳ２７にて、換気装置１ａを中風量換気で運転させる。
【００３２】
そして、中風量換気の運転の継続により、室内のＣＯ２濃度は規定値以下に下がることが期待でき、中風量換気の運転を継続すればセンサＡもセンサＢも共にＯＦＦする。しかし、ここでは、センサＡとセンサＢが共にＯＦＦするのを待つのではなく、所定時間（例えば３０分）が経過すると（ステップＳ２８）、換気装置１ａを小風量換気の運転に切り替えるようにしている。
【００３３】
これによって、室内空気質に応じたきめ細かな風量制御が可能となる。そして、在人状態や室内空気質に応じて適切な換気が行えるので、換気装置の省エネ化を図ることができる。加えて、換気風量が短時間で頻繁に切り替わるような挙動がないので、使用者に不快感を与えないようにすることができる。
【００３４】
＜換気風量制御動作（その３）＞
図４において、ステップＳ３１（小風量換気）では、図３におけるステップＳ２８，Ｓ２９と同様に、換気装置１ａを小風量換気で運転している。この小風量換気での運転状態において、所定時間（例えば３０分）の経過するまで（ステップＳ３２：Ｎｏ）、小風量換気での運転を継続し、所定時間が経過すると（ステップＳ３２：Ｙｅｓ）、換気装置１ａの運転を停止する（ステップＳ３２）。これによって、さらに、換気装置１ａの省エネ化が図れる。
【００３５】
なお、各動作例では、センサＡ、センサＢは、共にリレー接点出力である場合を示したが、アナログ出力の場合でも、室内空気質を判定する基準を定めれば、同じ考えて換気風量制御が行えることは言うまでのない。
【００３６】
このように、実施の形態１によれば、部屋内の所定位置に配置される複数の汎用外部センサのセンサ信号を取り込み、それぞれのセンサ信号の状態に基づき換気風量を多段に切り替えるようにしたので、室内空気質に応じたきめ細かな風量制御が行える。このとき、在人状態や室内空気質に応じて適切な換気を行うことができ、また小換気風量での運転では所定時間後停止させるので、換気装置の省エネ化を図ることができる。また、換気風量が短時間で頻繁に切り替わるような挙動がないように風量制御できるので、使用者に不快感を与えないようにすることができる。
【００３７】
実施の形態２．
図５は、本発明の実施の形態２による換気装置の概略構成を示すブロック図である。図６は、換気風量制御動作を説明するフローチャートである。なお、図５では、図１（実施の形態１）に示した構成要素と同一ないしは同等である構成要素には同一の符号が付されている。ここでは、この実施の形態２に関わる部分を中心に説明する。
【００３８】
図５に示すように、この実施の形態２による換気装置１ｂでは、図１（実施の形態１）に示した構成において、符号を変えた制御部４ｂに、タイマー設定手段７が追加されている。
【００３９】
タイマー設定手段７は、小風量換気←→中風量換気、中風量換気←→強風量換気、強風量換気←→特強風量換気それぞれの運転の切り替わり時間を設定するのに用いる他、図６にて説明するように、小風量換気での運転を停止させる時間を設定するのに用いる。換気風量が短時間で頻繁に切り替わると、使用者に不快感を与えるので、タイマー設定手段７には、例えば、０．５時間〜５時間の中から任意に設定できるようになっている。以下、図６を参照して説明する。
【００４０】
図６において、ステップＳ４１では、タイマー設定手段８に小風量換気運転の開始後に換気を停止するまでの所定時間を設定する。ここでは、１時間を選択した場合、ステップＳ４２にて、小風量換気運転の開始時に、タイマー設定手段７に所定時間＝１時間がセットされる。そして、ステップＳ４３にて、小風量換気運転の経過時間を監視し（ステップＳ４３：Ｎｏ）、１時間経過した場合（ステップＳ４３：Ｙｅｓ）、換気運転を停止する（ステップＳ４４）。
【００４１】
このように、実施の形態２によれば、各換気運転の運転時間を例えば１時間など使用者に不快感を与えない時間に設定し、それに従って運転を切り替えるので、換気風量が短時間で頻繁に切り替わるようなことがなく、使用者に不快感を与えることがない。
【００４２】
実施の形態３．
図７は、本発明の実施の形態３による換気装置の概略構成を示すブロック図である。図８は、換気風量制御動作を説明するフローチャートである。なお、図７では、図５（実施の形態２）に示した構成要素と同一ないしは同等である構成要素には同一の符号が付されている。ここでは、この実施の形態３に関わる部分を中心に説明する。
【００４３】
図７に示すように、この実施の形態３による換気装置１ｃでは、図５（実施の形態２）に示した構成において、符号を変えた制御部４ｃに、感度設定手段８が追加されている。そして、外部センサ５（センサＡ、センサＢ）は、アナログ出力形式のものである。感度設定手段８は、アナログ出力形式のセンサＡ、センサＢの出力値に対する風量切り替わりの規定値を定める。以下、図８を参照して説明する。
【００４４】
図８において、ステップＳ５１では、ＣＯ２センサ（センサＡ、センサＢ）の感度設定を行う。ステップＳ５２では、設定した感度が高感度か否かを判定する。設定した感度が高感度である場合（ステップＳ５２：Ｙｅｓ）は、ステップＳ５３にて、ＣＯ２濃度０〜１０００ｐｐｍをアナログ出力０〜５Ｖの範囲に設定する。一方、設定した感度が高感度でない場合（ステップＳ５２：Ｎｏ）は、ステップＳ５４にて、ＣＯ２濃度０〜２０００ｐｐｍをアナログ出力０〜５Ｖの範囲に設定する。
【００４５】
そうすると、センサＡ、センサＢのアナログ出力電圧に対し室内空気質の良否判定電圧を２．５Ｖとした場合、高感度設定時ではＣＯ２濃度が５００ｐｐｍで風量が切り替わる一方、低感度設定時ではＣＯ２濃度が１０００ｐｐｍで風量が切り替わる。
【００４６】
ここでは、ＣＯ２センサについて説明したが、アナログ出力機能を備えた全てのセンサに適用できることは言うまでもない。
【００４７】
このように、実施の形態３によれば、使用者の用途に適合した換気システムが提供できる。
【００４８】
実施の形態４．
図９は、本発明の実施の形態４による換気装置の概略構成を示すブロック図である。なお、図９では、図７（実施の形態３）に示した構成要素と同一ないしは同等である構成要素には同一の符号が付されている。ここでは、この実施の形態４に関わる部分を中心に説明する。
【００４９】
図９に示すように、この実施の形態４による換気装置１ｄでは、図７（実施の形態３）に示した構成において、符号を変えた制御部４ｄに、センサ接続部６（センサＡ接続部、センサＢ接続部）の出力を入力とするセンサ入力モード切替手段９（センサＡ入力モード切替手段、センサＢ入力モード切替手段）が追加されている。
【００５０】
センサ入力モード切替手段９（センサＡモード入力切替手段、センサＢモード入力切替手段）は、センサ接続部６（センサＡ接続部、センサＢ接続部）に接続される外部センサ５（センサＡ、センサＢ）が、リレー接点出力形式であるかアナログ形式であるかの設定に従って、センサ接続部６（センサＡ接続部、センサＢ接続部）の出力を、制御部４ｄ内のマイコンのデジタル入力ポートまたはアナログ入力ポートに切り替えて入力させるように構成されている。
【００５１】
センサ入力モード切替手段９は、例えば、図１０や図１１に示すように構成できる。図１０は、図９に示した制御部の構成例（その１）を示すブロック図ある。図１１は、図９に示した制御部の構成例（その２）を示すブロック図ある。
【００５２】
図１０において、制御部４ｅに設けられる図９に示すセンサ入力モード切替手段９は、センサ接続部６の出力が入力されるセンサ入力モード切替スイッチ１２と、センサ入力モード切替スイッチ１２の（Ｄ）側出力端とマイコン１７のデジタル入力ポート１４との間に配置されるデジタル入力回路１３と、センサ入力モード切替スイッチ１２の（Ａ）側出力端とマイコン１７のアナログ入力ポート１５との間に配置されるアナログ入力回路１５とで構成される。
【００５３】
外部センサ５をセンサ接続部６に接続し、センサ入力モード切替スイッチ１２に、接続した外部センサ５の出力形式の設定を行う。例えば、外部センサ５がリレー接点出力形式である場合、センサ入力モード切替スイッチ１２を（Ｄ）側出力端に設定する。そうすると、外部センサ５のセンサ信号（ＯＮ／ＯＦＦ信号）がデジタル入力回路１３を通してマイコン１７のデジタル入力ポート１４に入力される。また、外部センサ５がアナログ出力形式である場合、センサ入力モード切替スイッチ１２を（Ａ）側出力端に設定する。そうすると、外部センサ５のセンサ信号（アナログ信号）がアナログ入力回路１５を通してマイコン１７のアナログ入力ポート１６に入力される。
【００５４】
図１０の構成によれば、センサ接続部をリレー接点出力用とアナログ出力用とに分けて用意する必要がなく換気装置の小型化につながる。また、センサ出力形式にかかわらずセンサ接続部は１箇所のみであるので、換気装置と外部センサとの誤配線という概念がなくなる。
【００５５】
図１１において、制御部４ｆに設けられる図９に示すセンサ入力モード切替手段９は、センサ接続部６の出力が入力されるセンサ入力モード切替スイッチ１２と、センサ入力モード切替スイッチ１２の（Ｄ）側出力端とマイコン１７のアナログ入力ポート１６との間に配置されるＤ−Ａ変換回路１８と、センサ入力モード切替スイッチ１２の（Ａ）側出力端とマイコン１７のアナログ入力ポート１５との間に配置されるアナログ入力回路１５とで構成される。
【００５６】
ここで、Ｄ−Ａ変換回路１３は、例えば、リレー接点ＯＦＦ時に０Ｖをマイコン１７のアナログ入力ポート１６に入力し、リレー接点ＯＮ時に３Ｖをマイコン１７のアナログ入力ポート１６に入力するように構成されている。
【００５７】
外部センサ５をセンサ接続部６に接続し、センサ入力モード切替スイッチ１２に、接続した外部センサ５の出力形式の設定を行う。例えば、外部センサ５がリレー接点出力形式である場合、センサ入力モード切替スイッチ１２を（Ｄ）側出力端に設定する。そうすると、外部センサ５のセンサ信号（ＯＮ／ＯＦＦ信号）がＤ−Ａ変換回路１３を通してマイコン１７のアナログ入力ポート１６に入力される。
【００５８】
また、外部センサ５がアナログ出力形式である場合、センサ入力モード切替スイッチ１２を（Ａ）側出力端に設定する。そうすると、図１０と同様に、外部センサ５のセンサ信号（アナログ信号）がアナログ入力回路１５を通してマイコン１７のアナログ入力ポート１６に入力される。
【００５９】
図１１の構成によれば、外部センサがリレー接点出力形式でもアナログ出力形式でも、マイコンは、１つの入力ポートを使用してセンサ入力判定が可能となる。ここで生成される電圧値は、制御基板上の抵抗定数を変更することで任意に設定可能であり、所望の換気風量になるよう電圧値を設定すればよく、簡単に対応できる。したがって、外部センサ入力に使用するマイコンポートを削減できるため、換気装置の小型化および低コスト化が図れる。
【産業上の利用可能性】
【００６０】
以上のように、本発明にかかる換気装置は、部屋の在人状態や室内空気質に応じたきめ細か換気風量制御が可能で、かつ省エネ化が図れる換気装置として有用である。
【符号の説明】
【００６１】
１ａ，１ｂ，１ｃ，１ｄ  換気装置
２  換気用のファン
３  モータ
４ａ，４ｂ，４ｃ，４ｄ，４ｅ，４ｆ  制御部
５  外部センサ
６  センサ接続部
７  タイマー設定手段
８  感度設定手段
９  センサ入力モード切替手段
１２  センサ入力モード切替スイッチ
１３  デジタル入力回路
１５  アナログ入力回路
１７  マイコン
１８  Ｄ−Ａ変換回路
【図１】
0005606333.tif 000002
【図２】
0005606333.tif 000003
【図３】
0005606333.tif 000004
【図４】
0005606333.tif 000005
【図５】
0005606333.tif 000006
【図６】
0005606333.tif 000007
【図７】
0005606333.tif 000008
【図８】
0005606333.tif 000009
【図９】
0005606333.tif 000010
【図１０】
0005606333.tif 000011
【図１１】
0005606333.tif 000012